(57)【要約】      （修正有）【課題】操作時のクリック感の有無を切り替え可能な回転操作部材において、クリック感有り時よりもクリック感無し時の方が、設定値を１段階変更するために必要な操作角度を小さくする電子機器を提供する。【解決手段】筺体に回転可能に固定された回転操作部材を備えた電子機器で、回転操作部材の回転規制が有る状態と回転規制が無い状態の二つの状態を切り替えるクリック切替機構と、クリック切替機構の回転規制の有無を検知する切替検知手段と、回転操作部材の回転方向、回転量を検出する回転検出手段と、筺体内に設けられ、時間を測定するタイマーとで構成され、回転規制が有りと検知された時は、回転操作部材の所定の回転角度毎に設定値を１段階変更する処理を行い、回転規制が無しと検知された時は、回転操作部材の所定の回転操作角度毎に設定値を１段階変更する処理に加え、回転操作部材の操作速度に応じた周期の設定値変更処理を行う制御手段を備える。【選択図】図１２
2020101726.tif 000002
【特許請求の範囲】
【請求項１】
筺体に回転可能に固定された回転操作部材と、前記回転操作部材の回転規制が有る規制状態と前記回転操作部材の回転規制が無い非規制状態の二つの状態を切り替えるクリック切替機構と、前記クリック切替機構による回転規制の有無を検知する切替検知手段と、前記回転操作部材の回転方向、回転量を検出する回転検出手段と、筺体内に設けられ、時間を測定するタイマーとで構成され、前記切替検知手段により、回転規制が有りと検知された時は、前記回転操作部材の所定の回転角度毎に設定値を１段階変更する処理を行い、回転規制が無しと検知された時は、前記回転操作部材の所定の回転操作角度毎に設定値を１段階変更する処理に加え、前記回転操作部材の操作速度に応じた周期の設定値変更処理を行う制御手段を備えたことを特徴とする電子機器。
【請求項２】
筺体に回転可能に固定された回転操作部材と、前記回転操作部材の回転規制が強い状態と前記回転操作部材の回転規制が弱い状態の二つの状態を切り替えるクリック切替機構と、前記クリック切替機構による回転規制の強弱を検知する切替検知手段と、前記回転操作部材の回転方向、回転量を検出する回転検出手段と、筺体内に設けられ、時間を測定するタイマーとで構成され、前記切替検知手段により、回転規制が強いと検知された時は、前記回転操作部材の所定の回転角度毎に設定値を１段階変更する処理を行い、回転規制が弱いと検知された時は、前記回転操作部材の所定の回転操作角度毎に設定値を１段階変更する処理に加え、前記回転操作部材の操作速度が所定値より速い時は設定値を一定周期の値を加算する処理を行う制御手段を備えたことを特徴とする電子機器。
【請求項３】
前記切替検知手段により、前記クリック切替機構による回転規制が無しと検知された時、前記回転操作部材の回転速度が所定値より遅い場合は、設定値を一定周期の値に変更する処理は行わないことを特徴とする請求項１又は請求項２に記載の電子機器。
【請求項４】
回転量を検出するブラシ切片をさらに備え、前記回転操作部材の操作速度が所定値より遅い時は、前記回転操作部材の所定の回転操作角度毎に設定値を１段階変更する処理に加え、さらに前記ブラシ切片の開閉毎に設定値を１段階変更する処理を行う制御手段を備えたことを特徴とする請求項１乃至請求項３の何れか一項に記載の電子機器。
【請求項５】
回転による振動を検出する振動検知手段をさらに備え、前記振動検知手段が前記回転操作部材の停止を検知した時は、設定値を一定周期の値に変更する処理を停止することを特徴とする請求項１乃至請求項４の何れか一項に記載の電子機器。
【請求項６】
回転による振動を検出する振動検知手段をさらに備え、前記振動検知手段が前記回転操作部材の停止を検知した時は、回転検出手段による検出を停止することを特徴とする請求項１乃至請求項５の何れか一項に記載の電子機器。
【発明の詳細な説明】
【技術分野】
【０００１】
本発明は、デジタルカメラ等の電子機器に関し、特に回転操作可能な操作部材を有する電子機器に関する。
【背景技術】
【０００２】
デジタルカメラ等の電子機器では、様々な機能が搭載されている。例えば、デジタルカメラでは、撮影レンズのフォーカス調整やズーム倍率の変更、絞り優先ないしシャッター速度優先の自動露光モードなどの撮影モードといった機能を有している。そして、それぞれの機能を選択したり、各機能に含まれる様々な設定値を変更したりするための操作部材を筺体に備えている。
【０００３】
携帯型電子機器の場合、大型化を防ぐために、複数の機能を１つの操作部材で変更可能にしたものがある。例えば、デジタルカメラでは、撮影レンズのフォーカス調整やズーム倍率のように連続的な値で設定される機能や、絞り値やシャッター速度のように離散的な値で設定される機能を１つの操作部材に割り当てると、２つ必要であった操作部材を１つに減らすことが可能となる。
【０００４】
そのような操作部材として、特許文献１のように機器本体前面部の鏡筒周りに回転可能な操作部材を設け、回転規制の有る規制状態と、回転規制の無い非規制状態の二つの状態を切替手段により切り替え可能としたものがある。
【０００５】
また特許文献２では、２相パルス方式のＰＩ検出信号により得られた操作部材の回転方向と速度に応じてマニュアルフォーカス時のフォーカスを駆動するカウント数を通常モードと高速モードに切り替え可能としたものがある。
【先行技術文献】
【特許文献】
【０００６】
【特許文献１】特開２０１４−２１２４５号公報
【特許文献２】特開２０１１−２５７７２５号公報
【発明の概要】
【発明が解決しようとする課題】
【０００７】
しかしながら、特許文献１の形態では、回転規制の有る規制状態と回転規制の無い非規制状態のどちらの場合でも、操作部材の操作の検出は同一の手段で行われる。そのため、割り当てられた機能の設定値を１段階変更するのに必要な回転操作部材の操作角度は、規制状態と非規制状態とで同一であり、非規制状態に連続的な値の設定を割り当てた場合でも、離散的な操作感となってしまう。また、回転規制のある状態で最適化された回転検出手段のままでは、マニュアルフォーカス操作などの時に必要とされる微小な回転を精度よく検出することが困難であった。
【０００８】
なお、上記操作部材の回転規制のある状態とは、操作部材の回転操作時に操作抵抗が定期的に変化する、いわゆるクリック感が生じる状態を指している。また回転規制の無い状態とは、操作部材の回転操作時に操作抵抗がほぼ一定のスムーズでクリック感の無い状態を指している。以降、クリック感が生じる状態をクリックＯＮ状態、クリック感が生じない状態をクリックＯＦＦ状態と記すことにする。
【０００９】
また、特許文献２の形態では、ＰＩ検出信号のみで回転検出を行うため、操作量に対する分解能はＰＩを挿通するくし歯の大きさで決まる。しかしくし歯を小型化するには金型上の限界があり、微小回転操作に対する追従性を確保するにはくし歯を形成する環状部材の径を大きくして、１回転あたりの歯数を増やさなければならず、小型化において不利であった。
【００１０】
そこで、本発明の目的は、操作時のクリック感の有無を切り替え可能な回転操作部材にあって、クリック感有り時よりも無し時の方が、回転操作部材に割り当てられた機能の設定値を１段階変更するために必要な操作角度を小さくすることにある。
【課題を解決するための手段】
【００１１】
上記の目的を達成するために、本発明に係る電子機器は、
筺体に回転可能に固定された回転操作部材と、回転操作部材の回転規制が有る規制状態と回転操作部材の回転規制が無い非規制状態の二つの状態を切り替えるクリック切替機構と、クリック切替機構による回転規制の有無を検知する切替検知手段と、回転操作部材の回転方向、回転量を検出する回転検出手段と、筺体内に設けられ、時間を測定するタイマーとで構成され、切替検知手段により、回転規制が有りと検知された時は、回転操作部材の所定の回転角度毎に、回転操作部材に割り当てられた機能の設定値を１段階変更する処理を行い、回転規制が無しと検知された時は、回転操作部材の所定の回転操作角度毎に、回転操作部材に割り当てられた機能の設定値を１段階変更する処理に加え、回転操作部材の操作速度に応じた周期の設定値変更処理を行う制御手段を備えたことを特徴とする。
【発明の効果】
【００１２】
本発明によれば、操作時のクリック感の有無を切り替え可能な回転操作部材において、クリック感有り時よりもクリック感無し時の方が、設定値を１段階変更するために必要な操作角度を小さくするものを備える電子機器の提供を実現できる。
【図面の簡単な説明】
【００１３】
【図１】デジタルカメラの外観斜視図
【図２】前面カバーユニットの内部構造図
【図３】前面カバーユニットの分解斜視図
【図４】クリック発生機構の分解斜視図
【図５】前面カバーユニットの断面図
【図６】クリック検出手段の部分拡大図
【図７】ブラシ機構の部分拡大図
【図８】回転検出手段の説明図
【図９】デジタルカメラ構成を示すブロック図
【図１０】操作リングの操作による設定値の変更処理のフローチャート
【図１１】操作リングの操作による設定値の変更処理のフローチャート
【図１２】操作リングの操作による設定値の変更処理のフローチャート
【図１３】操作リングのクリックＯＦＦ時の検出信号説明図
【発明を実施するための形態】
【００１４】
以下に、本発明の好ましい実施の形態を、添付の図面に基づいて詳細に説明する。尚、以下に説明する実施の形態は、本発明の実現手段としての一例であり、本発明は、その趣旨を逸脱しない範囲で下記実施形態を修正又は変形したものに適用可能である。
【００１５】
［第１の実施の形態］
図１（ａ）は、本発明の実施形態であるデジタルカメラ１本体の前面側斜視図である。
【００１６】
デジタルカメラ１の筐体前面には、被写体光から光学像を生成し、後述する撮像素子１１３に結像する沈胴式の光学系撮影レンズ鏡筒３が備わっている。
【００１７】
撮影レンズ鏡筒３の外周には、操作リング２０１が設けられる。操作リング２０１は、回転操作することにより絞り優先ないしシャッター速度優先の自動露光モードなどの撮影モードといった機能、及び各機能に含まれる設定値を変更することが可能となっている。操作リング２０１の近傍には、切替操作つまみ２１２が設けられている。切替操作つまみ２１２をスライドさせることで、操作リング２０１の操作時のクリックＯＮ状態とクリックＯＦＦ状態を切り替えることができる。なお、操作リング２０１、切替操作つまみ２１２は、デジタルカメラ１の前面を覆う前面カバーユニット５０１に配置されている。
【００１８】
デジタルカメラ１の上面部には、デジタルカメラ１の電源オンとオフの操作を行う電源ボタン１０１、撮像準備および撮像操作の指示を行うレリーズボタン１０２が設けられる。レリーズボタン１０２は２段階の押圧操作が可能となっている。レリーズボタン１０２を１段階操作すると、撮影準備動作（測光動作や測距動作等）が開始される。レリーズボタン１０２をさらに全押し操作すると、被写体を撮影し、記録媒体１１９に被写体像の画像デ−タを記録する。レリーズボタン１０２の外周部には、レリーズボタン１０２を中心に所定の角度回動操作することで、撮影画角の変更を行うズームレバー１０３が配置されている。デジタルカメラ１の筺体上面から見て時計回りに回転させると、撮影レンズ鏡筒３がテレ側（画角が狭くなる方向）にズ−ム動作を行い、逆に反時計回りに回転させると撮影レンズ鏡筒３がワイド側（画角が広がる方向）にズ−ム動作を行う。
【００１９】
さらにデジタルカメラ１の上面部には静止画撮影や動画撮影等の各種撮影モードの切替えを行うモードダイヤル１０４、撮影画像の明るさの補正量を設定する露出補正ダイヤル１０５、発光部がポップアップ可能な被写体を照明するためのストロボユニット１０６を備えている。モードダイヤル１０４には、各種の撮影モードで設定されたアイコン（絵文字）が印刷されており、各アイコンを所定の位置に設けられた指標と合わせることで、アイコンに応じた撮影モードの設定を行うことができる。ストロボユニット１０６はカメラ１側面のストロボレバー１０７を操作することで発光部がポップアップする。
【００２０】
図１（ｂ）は、デジタルカメラ１本体の背面側斜視図である。
【００２１】
デジタルカメラ本体１の背面部には、背面上部に設けられた回動軸に対して回動可能な表示部支持体１０８と撮影前の画像や、撮影後の画像、各種撮影条件を表示するための液晶表示部１０９が設けられる。液晶表示部１０９には、タッチセンサーが内蔵され、撮像パラメータの変更、液晶表示部１０９の表示形式の変更といった機能を選択する際に利用する。液晶表示部１０９は、デジタルカメラ１の筐体に対して、表示部支持体１０８により０°〜１８０°の範囲で回動させることができ、デジタルカメラ１の筺体上面側と筺体前面側からの液晶表示部１０９の視認性を向上させている。
【００２２】
デジタルカメラ本体１の背面部には、さらに撮影条件の変更、液晶表示部１０９の表示形式の変更といった機能を選択する際に利用する各種操作ボタン群１１０が設けられている。デジタルカメラ本体１の側面部には、図示しない各種外部デバイスに接続するための端子類とそれらを保護する端子カバー１１１が配置される。
【００２３】
次に図１１、図１２を用いて、図１（ａ）の前面カバーユニット５０１の構成について説明する。
【００２４】
図１１は、前面カバーユニット５０１の内部構造図であり、図１２は前面カバーユニット５０１の分解斜視図である。
【００２５】
図２及び図３に示すように、前面カバーユニット５０１は、デジタルカメラ１の外装カバーである前面カバー５０２、および操作リング２０１、後述する操作リング保持部材５０３、ベース部材５０４、切替操作部材５０６、環状部材５０５が装着される。さらに、前面カバーユニット５０１は、後述するクリック発生機構、クリック切替機構、回転検出手段、クリック切替検出手段およびブラシ機構を備える。
【００２６】
図３において、ブラシ機構は第１のブラシ切片５１４と、第２のブラシ切片５１５および絶縁シート５１６を備える。それぞれ第一のブラシ切片５１４と第２のブラシ切片５１５は電気的に不導通の絶縁シート５１６により離間されてい後述のベース部材５０４に取り付けられている。
【００２７】
ベース部材５０４は、ベース部材５０４に設けられた円筒部５０４ｂが、前面カバー５０２に形成された円状切り欠き部５０２ａから突き出た状態で、前面カバー５０２の内部面に両面テープや接着材等により固定される。
【００２８】
操作リング保持部材５０３とベース部材５０４は、後述する切替操作部材５０６を回動可能に挟持し、操作リング保持部材５０３の内周部５０３ａがベース部材５０４に設けられた円筒部５０４ｂに嵌合して、ベース部材５０４にビスにて固定されている。
【００２９】
また操作リング２０１は、これに設けられた円筒部２０１ｂが操作リング保持部材５０３に形成された外周部５０３ｂと回転可能に嵌合する。また環状部材５０５は円筒部と、円板部を有した、いわゆるフランジ形状を有し、円板部には非導通の樹脂インナー部材５１７が接着されている。
【００３０】
環状部材５０５と操作リング２０１は、前面カバー５０２、ベース部材５０４、及び操作リング保持部材５０３を間に挟み、環状部材５０５の円筒部に複数設けられた係合腕部５０５ａが、操作リング２０１に複数設けた係合爪部２０１ａに係合することで抜け止めがなされる。かかる係合によって、操作リング２０１は環状部材５０５と一体に回転可能に前面カバー５０２に取り付けられていることになる。
【００３１】
一方環状部材５０５の円板部には、最外周に所定の形状で切り欠いた開口部５０５ｂ、及び切り欠きのない部分である非開口部５０５ｅが周方向に等間隔で複数形成されている。この開口部５０５ｂ、および非開口部５０５ｅは、後述するクリック発生機構と回転検出手段に利用される。
【００３２】
５１１は回転検出手段である後述するフォトインタラプタを実装したフレキ基板で、保持部材５１２を介してベース部材５０４に挟持され、ビス固定される。フレキ基板５１１は不図示の信号処理基板と電気的に接続されている。また５１３はブラシ機構、クリック切替検出手段を実装したクリック検出用フレキ基板で不図示の信号処理基板と電気的に接続されている。
【００３３】
次に、クリック発生、クリック切替、回転検出、クリック検出の詳細について説明する。
【００３４】
図４〜図７を用いて、操作リング２０１のクリック感を発生させるためのクリック発生機構及び操作リング２０１のクリックＯＮ状態とクリックＯＦＦ状態を切り替えるクリック切替機構について説明する。
【００３５】
図４は、クリック発生機構の分解斜視図である。
【００３６】
クリック発生機構は、なめらかな操作感を実現するため、摩擦抵抗を低減する鋼球５０７、後述するクリック部材５０９、及び鋼球５０７とクリック部材５０９を付勢する付勢ばね５０８および後述する切替プレート５１０、切替操作部材５０６で構成されている。鋼球５０７、付勢ばね５０８、クリック部材５０９がベース部材５０４に設けられた貫通穴５０４ａに移動可能に挿通され、クリック部材５０９側は、後述する切替プレート５１０ないし切替操作部材５０６に当接し、鋼球５０７側は、切替操作部材５０６に当接している。また、クリック部材５０９の切替プレート５１０側の先端形状は半球形状となっている。切替プレート５１０は切替操作部材５０６に固定されている。これにより鋼球５０７、付勢ばね５０８、クリック部材５０９が貫通穴５０４ａ内に保持されている。
【００３７】
また切替プレート５１０には、図６の第１の貫通穴５１０ａ、第２の貫通穴５１０ｂが設けられており、それぞれの貫通穴がスリット５１０ｃにより繋がっている。そして、第１の貫通穴５１０ａ、第２の貫通穴５１０ｂは、クリック部材５０９の先端の半球形状より小さくなっているため、切替プレート５１０が切替操作部材５０６へ固定された状態にてクリック部材５０９を保持可能となっている。また、詳細については後述するが、第１の貫通穴５１０ａは、第２の貫通穴５１０ｂより小さくなっている。
【００３８】
このクリック発生機構は後述のクリック切替機構や操作リング２０１の操作時におけるクリック感を発生させるためのものである。
【００３９】
図５（ａ）、図５（ｂ）は、図２におけるＡ−Ａ断面である。
【００４０】
クリック切替機構は、後述する切替プレート５１０と、後述する切替プレート５１０を保持固定する切替操作部材５０６および鋼球５０７、付勢ばね５０８で構成されている。切替操作部材５０６は、係合溝５０６ａと係合溝５０６ｂ、係合溝５０６ａと係合溝５０６ｂを繋ぐ浅い摺動溝５０６ｃと図１で説明した切替操作つまみ２１２を有している。鋼球５０７が付勢ばね５０８に付勢され、係合溝５０６ａもしくは係合溝５０６ｂに当接することで、切替操作部材５０６は、操作リング２０１のクリックＯＮ状態とクリックＯＦＦ状態のそれぞれの状態を保持する。
【００４１】
ここで、操作リング２０１のクリックＯＦＦ状態について説明する。図５（ａ）は、切替操作部材５０６がクリックＯＦＦ状態の位置を示し、クリック部材５０９が、切替プレート５１０の第１の貫通穴５１０ａに、付勢ばね５０８にて付勢されている。同時に、鋼球５０７が、切替操作部材５０６の係合溝５０６ａへ付勢ばね５０８にて付勢されている。鋼球５０７が係合溝５０６ａに嵌っている状態から浅い摺動溝５０６ｃに移動するためには、付勢ばね５０８を圧縮する力が必要であるため、切替操作部材５０６が安易には回動しないように保持された状態となっている。
【００４２】
また、切替プレート５１０の第１の貫通穴５１０ａは、クリック部材５０９の先端の半球形状より十分に小さく、クリック部材５０９の先端が環状部材５０５に当接しないように保持している。そのため、クリックＯＦＦ状態では、環状部材５０５には回転による負荷変動は生じないので、それと一体化されている操作リング２０１の回動操作も負荷変動のないスムーズな操作をすることが可能となっている。
【００４３】
次に、操作リング２０１のクリックＯＮ状態について説明する。図５（ｂ）は、切替操作部材５０６がクリックＯＮ状態の位置を示す。上述のクリックＯＦＦ状態から、ユーザーが切替操作つまみ２１２を操作して切替操作部材５０６を本実施例のデジタルカメラ１正面から見て時計周りにスライド操作させると、鋼球５０７が係合溝５０６ａから浅い摺動溝５０６ｃへ乗り上げる。さらに切替操作部材５０６をスライドさせると、鋼球５０７が嵌合溝５０６ｂへ嵌まり、図５（ｂ）及び後述する図６（ｂ）の状態となる。
【００４４】
鋼球５０７が付勢ばね５０８により嵌合溝５０６ｂに付勢されることで、切替操作部材５０６の位置が保持される。同時に、クリック部材５０９と切替プレート５１０との当接部は、第１の貫通穴５１０ａから、スリット５１０ｃに沿ってスライドし、第２の貫通穴５１０ｂへと移動する。その時、クリック部材５０９は切替プレート５１０の第２の貫通穴５１０ｂを通り、環状部材５０５を付勢した状態となっている。第２の貫通穴５１０ｂは、クリック部材５０９の先端部が一定量飛び出す大きさとなっており、その飛び出し量は環状部材５０５、及びその開口部５０５ｂを十分に付勢する量に設定されている。
【００４５】
以降、クリック部材５０９が付勢ばね５０８により開口部５０５ｂに付勢されている状態をクリックポジションと示す。この状態で、操作リング２０１を回転操作させると、それと一体化されている環状部材５０５も回動し、クリック部材５０９がクリックポジションから脱出する時に、付勢ばね５０８も圧縮されるので、大きな負荷が発生する。
【００４６】
また、クリック部材５０９が非開口部５０５ｅに当接する時と非開口部５０５ｅからクリックポジションに移行時には、付勢ばね５０８を圧縮されないので、環状部材５０５の回転には小さな負荷しか生じない。そのため、クリックＯＮ状態では、ユーザーが操作リング２０１を回転させると、クリックポジションのたびに大きな負荷変動、即ちクリック感を感じることになり、同図を用いて操作リング２０１における各クリックポジション間への段階的な操作を容易にすることが可能となっている。
【００４７】
図６は、図２のＤ部の拡大図であり、操作リング２０１がクリックＯＮ状態かクリックＯＦＦ状態かを検知するクリック検出手段について説明する。ここでは説明のため環状部材５０５を不図示にしている。
【００４８】
図６（ａ）は、切替操作部材５０６がクリックＯＦＦ状態の位置を示し、図６（ｂ）は、切替操作部材５０６がクリックＯＮ状態の位置を示す。
【００４９】
前記クリック検出手段は主に検出用スイッチ５１３ａで構成され、検出用スイッチ５１３ａはクリック検出用フレキ基板５１３に実装され、図３で説明した第１のブラシ切片５１４と、第２のブラシ切片５１５および絶縁シート５１６は共にベース部材５０４にビスにて固定されている。
【００５０】
図６（ａ）、図６（ｂ）において、５０６ｄは切替操作部材５０６に設けられた突起形状である。また、５１３ｂは検出スイッチ５１３ａに設けられた検出レバーで操作されると検出スイッチ５１３ａから出力される検出信号が変化するようになっている。図６（ａ）はクリックＯＦＦ状態を示し、突起形状５０６ｄは、検出スイッチ５１３ａと離間しており、検出スイッチ５１３ａの検出信号は初期状態となっている。この状態から切替操作部材５０６を回動させて、図６（ｂ）に示すクリックＯＮ状態になる。このとき突起形状５０６ｄも回動し、検出スイッチ５１３ａの検出用レバー５１３ｂと干渉して、動作させ、検出信号を初期状態から変化させる。その信号の変化がクリック検出用フレキ基板５１３を通り、不図示の信号処理基板へと伝えられ、後述するシステム制御部１１５により、クリックＯＮ状態と判断される。
【００５１】
本発明では、初期状態をクリックＯＦＦ状態、変化した状態をクリックＯＮ状態としているが、逆となる構成でも良い。
【００５２】
次に、ブラシ機構の説明をする。
【００５３】
図７は図１１のＣ部の拡大図であり、図７（ａ）は環状部材５０５がクリックポジションで静止している状態を示す。また図７（ｂ）はクリックＯＦＦ状態で、環状部材５０５が回動規制がなく、第２のブラシ切片５１５が開口部５０５ｂに嵌った状態を示す。
【００５４】
第１のブラシ切片５１４の一方の端である端部５１４ａはクリック検出用フレキ基板５１３の電子部品との接触部である電極５１３ｃと接触し、また第２のブラシ切片５１５も同様に不図示の端部を有し、その端部がクリック検出用フレキ基板５１３に設けられた不図示の電極と接触することで第一のブラシ切片５１４と第２のブラシ切片５１５はクリック検出用フレキ基板５１３を介して不図示の信号処理基板へと接続され、後述するシステム制御部１１５により、ブラシ検出信号の判定に利用される。
【００５５】
また、第２のブラシ切片５１５には可撓性を備える腕５１５ａが設けられ環状部材５０５の端部５０５ｄにおいて円周の法線方向に付勢され、腕５１５ａの先端に設けられた接点５１５ｂにおいて環状部材５０５と常に接触することで第２のブラシ切片５１５と環状部材５０５は電気的に導通状態となる。
【００５６】
そして第１のブラシ切片５１４には環状部材５０５の円板部のうち開口部５０５ｂより内周側に延伸する可撓性を備える腕５１４ｂが設けられ、腕５１４ｂの先端に設けられた接点５１４ｃにおいて環状部材５０５と接触するとともに環状部材５０５を付勢している。
【００５７】
一方、環状部材５０５の５０５ｂの内周側には開口孔５０５ｃが周方向に等間隔で複数形成されている。また、環状部材５０５と相対した位置にはリング状の非導電性の樹脂インナー部材５１７が接着固定され、それぞれの各開口孔５０５ｃを塞ぐようにインナー部材５１７から複数形成された突起部５１７ａが挿通する。環状部材５０５とインナー部材５１７が装着された時、突起部５１７ａは環状部材５０５の第１のブラシ切片５１４の接点５１４ｃとの接触面と略同一面となる位置まで延伸される。よって図７（ａ）のように接点５１４ｃと環状部材５０５が接触している時は、第１のブラシ切片５１４と環状部材５０５は導通し、接触していない時は非導通となる。
【００５８】
上記構成となっていることから操作リング２０１が操作され環状部材５０５と接点５１４ｃが接触する状態から回動すると接点５１４ｃは図７（ｂ）のように非導通の樹脂インナー部材５１７の突起部５１７ａと接触し、さらに操作リング２０１が回動すると再び導通状態に戻る。こうした動作を繰り返すことにより環状部材５０５を介して第１のブラシ切片５１４と第２のブラシ切片５１５が導通、非導通を繰り返すことになりブラシ検出信号を得ることができる。
【００５９】
また、第１のブラシ切片５１４の対向面５１４ｄにおいて当接する位置のクリック検出用フレキ基板５１３には振動センサ５１３ｄが実装され、第１、第２のブラシ切片の接点５１４ｃ、５１５ｂが環状部材５０５と摺動することで発生する振動を検知する。振動センサ５１３ｄは振動を検知していない時はＬ信号を、また振動を検知した場合はＨ信号を出力するようになっている。
【００６０】
なお、本実施例では図７（ａ）において、第２のブラシ切片５１５は環状部材５０５の円板部の外周５０５ｄと当接し、環状部材５０５の回転により図７（ｂ）のように先端の接点５１５ｂが開口部５０５ｂの位置に来た時、接点５１５ｂは変位する。しかしながら接点５１５ｂの先端Ｒ部は開口部５０５ｂに対し十分に大きいので接点５１５ｂの変位量は十分に小さく第２のブラシ切片５１５によるクリック力の発生は抑えられ、本来の停止位置以外で操作リング２０１が停止することを防いでいる。
【００６１】
次に、操作リング２０１の回転量を検知する回転検出手段について説明する。
【００６２】
図８（ａ）は、図２のＥ部の拡大図である。図中の矢印Ｂは、環状部材５０５および操作リング２０１の回転方向を示しており、紙面に対して時計周りをＣ、反時計周りをＣＣと示している。
【００６３】
回転検出手段は、前記保持部材５１２及びフレキ基板５１１に実装された第１、第２のフォトインタラプタＰＩ１、ＰＩ２（以下、ＰＩ１、ＰＩ２と省略）で構成されている。フォトインタラプタは、発光部と受光部を有し、受光部での受光量を電気信号の大小に変換して出力するものである。
【００６４】
ＰＩ１、ＰＩ２は、環状部材５０５の回転量を検出可能となるように、環状部材５０５の開口部５０５ｂないしは非開口部５０５ｅがＰＩ１、ＰＩ２の発光部と受光部の間を通過する位置、およびそれぞれ異なる位相で、ベース部材５０４に固定されている。
【００６５】
図８（ｂ）は、ＰＩ１、ＰＩ２内の発光部と受光部の間を環状部材５０５が回転して、開口部５０５ｂと非開口部５０５ｅが通過することにより、ＰＩ１、ＰＩ２が出力した信号の変化を示した図である。
【００６６】
ＰＩ１、ＰＩ２の受光部が遮光されていない時は、ＰＩ１、ＰＩ２の出力は高くなり、この状態をＨ信号と表現している。ＰＩ１、ＰＩ２の受光部が遮光される時は、ＰＩ１、ＰＩ２の出力が小さくなり、この状態をＬ信号と表現している。クリックポジションでは、ＰＩ１、ＰＩ２の各々の出力信号がＬ、Ｌとなるように、ＰＩ１、ＰＩ２が配置されている。そして、前述したように、ＰＩ１、ＰＩ２の発光部と受光部は、開口部５０５ｂに対して互いに異なる位相でずらして配置されているので、ＰＩ１、ＰＩ２のＨ信号とＬ信号がそれぞれ半位相ずれた状態で出力されるようになっている。
【００６７】
図８（ｃ）は、操作リング２０１を回転させた際に、ＰＩ１、ＰＩ２が、環状部材５０５の開口部５０５ｂと非開口部５０５ｅを検知した信号と、回転方向の判定を示した表である。例えば、図８（ｂ）において、クリックポジションから、操作リング２０１をＣ方向へ回転させた場合、ＰＩ１、ＰＩ２の出力波形は図中左に移動し、ＰＩ１の出力信号が先にＨとなる。すると、図８（ｃ）の表に示すようにＣ方向へ回転したと判定される。ＣＣ方向へ回転させた場合、ＰＩ２の出力信号が先にＨとなり、図８（ｃ）の表に示すようにＣＣ方向へ回転したと判定されることを示している。
【００６８】
図９は、デジタルカメラ１の構成を示すブロック図である。なお、図１から図８で説明した機能については同一番号で示し、説明は省略する。
【００６９】
撮像素子１１３は、光学像を光電変換してアナログ映像信号を生成するＣＣＤやＣＭＯＳイメ−ジセンサ等の光電変換素子であり、撮影レンズ鏡筒３に組み付けられている。Ａ／Ｄ変換部１２０は、デジタルカメラ１の内部に搭載された信号処理基板（不図示）に実装され、撮像素子１１３で生成したアナログ映像信号をデジタル映像信号に変換する。
【００７０】
画像処理部１２１は、前記不図示の信号処理基板に実装され、Ａ／Ｄ変換部１２０で得られたデジタル映像信号を所定の画像データに変換する。変換された画像データは、最終的には前記不図示の信号処理基板に実装されたカードＩ／Ｆ１１４等を含む記録媒体スロットに対して着脱可能な記録媒体１１９に保存される。
【００７１】
また前記不図示の信号処理基板には、デジタルカメラ１全体を制御し、プログラムを実行するシステム制御部１１５、プログラム等を電気的に消去・記録可能な不揮発性メモリ１１６が実装されている。ここでいう、プログラムとは、本実施形態にて後述する各種フローチャートを実行するためのプログラムのことである。さらに、前記不図示の信号処理基板には、不揮発性メモリ１１６から読み込んだプログラム等を展開するシステムメモリ１１７、各種制御に用いる時間や、内蔵された時計の時間を計測するシステムタイマー１１８が実装されている。
【００７２】
次に、図１０から図１３を参照して、本実施形態図９のデジタルカメラ１の操作リング２０１に割り当てられた機能の設定値の変更制御の動作フローについて説明する。
【００７３】
図１０から図１２は、操作リング２０１に割り当てられた機能の設定値の変更制御の動作フローを示すフローチャートである。なお、図１０から図１２の動作は、特に断らない限り、不揮発性メモリ１１６に記録されたプログラムを、システムメモリ１１７に読み出してシステム制御部１１５が実行するものとする。
【００７４】
まず、ユーザーにより、電源ボタン１０１が押下され、デジタルカメラ１が起動し、電源ボタン１０１、レリーズボタン１０２や操作リング２０１といった各操作部が操作されたことを検知する撮影待機状態となったところで、図１０の動作フローが開始されるものとする。
【００７５】
撮影待機状態になると、まずステップＳ６００では、操作リング２０１以外の操作部材が操作されたか否かを判定する。操作リング２０１以外の操作部材が操作されたと判定された場合はステップＳ７００へ進み、その操作部材に対する処理を行い、ステップＳ６００に戻る。Ｓ６００で操作リング２０１が操作されたと判定された場合は、ステップＳ６０１へと進む。
【００７６】
ステップＳ６０１では、振動センサ５１３ｄの出力により、操作リング２０１が操作されたか否かを判定する。振動が検出されなかった場合は操作リング２０１が操作されていないと判定され、Ｓ６００に戻り、Ｓ６０１で振動が検出され、操作されたと判定された場合は、ステップＳ６０２に進む。
【００７７】
ステップＳ６０２では、ＰＩ１およびＰＩ２の検出を開始する処理が行われる。
【００７８】
次にステップＳ６０３では、検出用スイッチ５１３ａが出力する検出信号が初期状態か否か、即ち操作リング２０１がクリックＯＦＦ状態かＯＮ状態かを判定する。Ｓ６０３でクリックＯＮ状態と判定された場合は、クリックＯＮ状態時の設定値変更処理であるステップＳ６０４〜Ｓ６０８に進む。Ｓ６０３でクリックＯＦＦ状態と判定された場合は、クリックＯＦＦ状態時の設定値変更処理であるステップＳ６０９〜Ｓ６４７に進む。
【００７９】
先に、操作リング２０１のクリックＯＮ状態時の設定値変更処理について説明する。
【００８０】
ステップＳ６０４では、操作リング２０１の操作により、ＰＩ１とＰＩ２のどちらか一方の出力信号がＬ信号からＨ信号に反転したか否かを判定する。ＰＩ１とＰＩ２のどちらの出力信号も反転しない場合は、Ｓ６０５に移行し、Ｓ６０５で振動を検知されなければ操作リング２０１の操作が行われていないと判定し、ステップＳ６００に戻る。
【００８１】
Ｓ６０５で振動検知されていれば、Ｓ６０４に戻る。Ｓ６０４でＰＩ１とＰＩ２のどちらかの出力信号がＬ信号からＨ信号に反転した場合、ステップＳ６０６に進む。
【００８２】
ステップＳ６０６では、図８（ｃ）に記載した条件に基づき、ＰＩ１とＰＩ２の反転前の出力信号とステップＳ６０４での反転検出情報により、操作リング２０１の回転方向を判別し、設定値の変更方向を決定する。
【００８３】
次に、ステップＳ６０７では、操作リング２０１が更に操作されることで、ＰＩ１、ＰＩ２の出力信号がＳ６０６で判定された回転方向に順次変化して、共にＬ信号に戻ったか否かを検出する。図８（ｃ）の表に示すようにＰＩ出力反転の順番が回転方向に順次変化しないで共にＬ信号になった場合Ｓ６０４へ戻り、ＰＩ出力反転の順番が回転方向に順次変化して共にＬ信号に戻った場合はＳ６０８へ進む。
【００８４】
ステップＳ６０８では、操作リング２０１に割り当てられた機能の設定値（以後、単に設定値と記す）をＳ６０６で決定された変更方向に１段階変更する処理を行い、ステップＳ６０４に戻る。
【００８５】
以降、Ｓ６０４〜Ｓ６０８の処理を繰り返すことにより、操作リング２０１のクリックＯＮ状態での設定値変更処理が行われる。
【００８６】
次に、操作リング２０１のクリックＯＦＦ状態時の設定値変更処理について説明する。
【００８７】
ステップＳ６０９では、ＰＩ１、ＰＩ２の出力信号を確認し、システムメモリ１１７に記憶させ、後述するステップＳ６１２にて操作リング２０１の回転方向を判別する際に使用する。クリックＯＦＦ状態では、前述したように、ＰＩ１とＰＩ２の出力信号の組み合わせが、一方がＨ信号で他方がＬ信号、両方共にＨ信号、両方共もＬ信号となる４通りの任意の位置で停止するため、ＰＩ１、ＰＩ２の出力信号を常に確認しておく必要がある。
【００８８】
ステップＳ６１０では、ステップＳ６０１同様、再度振動センサ５１３ｄの出力により、操作リング２０１の作動を判定する。振動が検出された場合は、ステップＳ６１１に進み、検出されなかった場合は操作リング２０１が操作されていないと判定し、Ｓ６００に戻る。これは、フォトインタラプタやブラシ切片単体の信号変化では操作リング２０１の停止をきめ細かく検出できないため、撮影者が操作リング２０１の操作を継続されているかを振動センサの出力によって判定する。
【００８９】
ステップＳ６１１では、操作リング２０１の操作により、ＰＩ１、ＰＩ２のどちらか一方の出力信号がＬ信号からＨ信号、もしくはＨ信号からＬ信号に反転したか否かを判定する。出力信号の反転が検出されない場合はステップＳ６１０に戻る。出力信号の反転が検出された場合は、ステップＳ６１２に進む。
【００９０】
ステップＳ６１２では、検出したＰＩ１、ＰＩ２の出力信号の情報と図８（ｃ）に記載した条件に基づき、操作リング２０１の回転方向を判別し、操作リング２０１に割り当てられた機能の設定値の変更方向を判定する。
【００９１】
同時に、ステップＳ６１３で、タイマー値Ｔ１の測定を開始する。タイマー値ＴＸは、Ｘを変数として、Ｓ６０２のＰＩ１、ＰＩ２の検出開始から、Ｘ回目のＰＩ１もしくはＰＩ２の出力信号の反転から、Ｘ＋１回目のＰＩ１もしくはＰＩ２の出力信号の反転までの時間を示し、システムタイマー１１８により測定される。
【００９２】
ステップＳ６１４では、再度振動センサ５１３ｄの出力により、操作リング２０１の作動の有無を判定する。振動が検出された場合は、ステップＳ６１７に進み、検出されなかった場合は操作リング２０１が操作されていないと判定し、Ｓ６１５でタイマー値Ｔ１の測定を終了し、設定値をＳ６１１で判定した変更方向に１段階変更してステップ６１６でＰＩへの通電を停止した後、ステップＳ６００に戻る。
【００９３】
ステップＳ６１７では、操作リング２０１の操作により、２回目のＰＩ１もしくはＰＩ２の出力信号の反転が行われたか否かを判定する。Ｓ６１７で２回目のＰＩ１、ＰＩ２の出力信号の反転が検出されない場合は、ステップＳ６１４に戻る。Ｓ６１７で、２回目のＰＩ１、またはＰＩ２の出力信号の反転が検出された場合はステップＳ６１８に進む。
【００９４】
ステップＳ６１８では、２回目のＰＩ１もしくはＰＩ２の出力信号の反転が行われたので、タイマー値Ｔ１の測定を終了し、ステップＳ６１９では、Ｘを２に設定する。また、ステップＳ６２０では、２回目のタイマー値Ｔ２もしくは２回目以降のタイマー値ＴＸの測定を開始する。
【００９５】
次にステップＳ６２１では、検出したＰＩ１、ＰＩ２の出力信号の情報と図８（ｃ）に記載した条件に基づき、操作リング２０１の回転方向を判別し、前回確認時と同一の方向で回転しているか否かの判定を行う。Ｓ６２１で前回確認時と異なる方向に回転していると判定された場合は、ユーザーが操作リング２０１の回転方向を途中で変更したと判断し、Ｓ６２２に進みタイマー値ＴＸの測定を終了し、設定値をＳ６２１で判定した変更方向に１段階変更して（Ｓ６２２）、ステップＳ６１３に戻る。Ｓ６２１で前回確認時と同一の方向に回転していると判定された場合は、ユーザーが操作リング２０１の回転方向を変更せずに、引き続き操作を続けていると判断し、ステップＳ６２３に進む。
【００９６】
ステップＳ６２３では、直前のＰＩ１またはＰＩ２の信号反転を検出することにより設定値をＳ６２１で判定した方向に１段階変更し、Ｓ６２４（図１１）に移行する。
【００９７】
ステップＳ６２４では、Ｔｘ−１が、あらかじめ設定された閾値Ｔａ以上であるか否かの判定を行う。閾値Ｔａは、操作リング２０１が速く操作されているか、おそく操作されているかの判断基準として用いる。速く操作されている場合と、おそく操作されている場合とで設定値の変更制御の処理を変える。以降、操作リング２０１がおそく操作されている場合をゆっくり操作と記す。
【００９８】
Ｓ６２４でＴｘ−１が、閾値Ｔａ以上である場合は、ゆっくり操作と判定しステップＳ６２５に進み、閾値Ｔａ以下だった場合は、速く操作されていると判定し、Ｓ６２８に進む。まずＴｘ−１が閾値Ｔａ以上、すなわち操作リング２０１が後述する微速度回転操作も含め、ゆっくり操作されていると判定された場合の処理について図１３を交えて説明する。
【００９９】
図１３はクリックＯＦＦ状態で操作リング２０１を操作した時のＰＩ１，ＰＩ２などの検出信号を時間軸に沿って記したものである。図１３（ａ）は矢印Ｆと矢印Ｇおよび矢印Ｈで示された、操作開始から順次回転速度が低速回転から高速回転まで変化した場合を示し、図１３（ｂ）は、図１３（ａ）の矢印Ｈ以降でかつ微速度回転操作時の操作リングが停止するまでの検出信号などの状態を示す。
【０１００】
図１３（ａ）と図１３（ｂ）において、左から右に向かってＰＩ１、ＰＩ２、ブラシ出力、振動センサ出力、設定値の１段階の変化を示す操作カウント、後述する周期パルスの信号状態の変化を横軸の時間経過で示したものでｔ１からｔ２８は所定の時間区分を示している。
【０１０１】
図１３（ａ）において、矢印Ｆの左端が操作リング２０１の操作を開始する位置であり、撮影者の操作リング２０１を操作開始により第１、第２のブラシ切片５１４、５１５には振動が発生する。すると振動センサ５１３ｄ出力が、まず振動を検知しないことを示すＬ信号から振動を検知したことを示すＨ信号に変わる。
【０１０２】
操作リング２０１の回転に応じて、ｔ１においてブラシ検出信号の出力信号が出力され、次にｔ２の開始点においてＰＩ１の検出信号が反転し、ｔ３の開始点においてＰＩ２の検出信号も反転する。さらにｔ４以降も操作リング２０１が同じ方向に回転し続け、これらの信号が出力され続けることを示している。
【０１０３】
操作リング２０１の操作時、図中下部に示した白丸、黒丸および△にて設定値の変更が行われることを示し、×は操作カウントを無効にして設定値の変更を行わないことを示している。
【０１０４】
ここで、図１０のＳ６６２で示した回転方向の検出手段ではＰＩ１とＰＩ２の両方の反転検出が行われる必要があり、ｔ１とｔ２においては回転方向が判定できていないため操作カウントを無効としている。
【０１０５】
また、図中のＰＩ１，ＰＩ２の反転信号の間隔が小さいほど操作リングの回転速度が速いことを示している。
【０１０６】
図１１に戻って、ゆっくり操作では、まずステップＳ６２５でＴｘ−１が閾値Ｔｂより大きいか小さいかを判定する。Ｔｘ−１が、あらかじめ設定された閾値Ｔｂ以上である場合は、操作リング２０１は最も遅い回転速度である微速度回転操作と判定しステップＳ６３９〜６４７（図１２）に進む。閾値Ｔｂ以下だった場合は、速く操作されている時と、微速度回転操作の中間の操作速度である、通常の速度で操作が行われていると判定し、Ｓ６２６に進む。
【０１０７】
まずＴｘ−１が閾値Ｔｂ以下、すなわち操作リング２０１が微速度回転操作ではなく、通常の速度で操作が行われていると判定された場合の処理について説明する。
【０１０８】
通常の速度での操作は、図１３（ａ）におけるｔ８からｔ１０およびｔ１６とｔ１７を示している。
【０１０９】
図１１に戻って、ステップＳ６２６では、まず所定値ｎの値を３と設定する。所定値ｎは後述する周期パルスの周期を決定するための定数である。次にステップＳ６２７において、Ｓ６１８で測定したタイマー値ＴＸ−１に応じて、ＴＸ−１／ｎで定義される周期パルスを設定して、Ｓ６３０に進む。
【０１１０】
また、先に述べたようにステップＳ６２４においてＴｘ−１が、閾値Ｔａ以下であった場合、速く操作されていると判定し、ステップＳ６２８に進み、前述した所定値ｎの値を５と設定する。続いてステップＳ６２９では、同様に設定される周期パルスの間隔をＴＸ−１／ｎとし、ステップＳ６３０に進む。このように本実施例では操作リングを早く回転させると単位時間当たりに、より多くの周期パルスを発生させることになる。
【０１１１】
ステップＳ６３０では、再度振動センサ５１３ｄの出力により、操作リング２０１の作動を判定する。振動が検出された場合は、ステップＳ６３２に進み、検出されなかった場合は操作リング２０１が操作されていないと判定し、ステップＳ６３１でＰＩへの通電を停止した後、ステップＳ６００に戻る。
【０１１２】
ステップＳ６３２では、周期パルスＴＸ−１／ｎを仮想的に設定して、そのカウントを開始して、周期パルスを１カウントしたらＳ６３３に進む。なお、周期パルスは、システムタイマー２１１により、前述したＴＸ−１／ｎ間隔毎に１パルス仮想的に発振される。ステップＳ６３３では、操作リング２０１に割り当てられた機能の設定値を、Ｓ６２１で設定した変更方向に１段階変更する。
【０１１３】
ステップＳ６３４では、操作リング２０１の操作により、ＰＩ１もしくはＰＩ２の出力信号の反転が、前回のＰＩ１もしくはＰＩ２の出力信号の反転が行われたか否かを判定する。出力信号の反転が行われなかった場合、ステップＳ６３０に戻る。Ｓ６３４で出力信号の反転が検出された場合は、周期パルスのカウントも終了させ、ステップＳ６３５に進む。
【０１１４】
前記ステップＳ６２６からＳ６３４までの動作は図１３（ａ）におけるｔ８からｔ１０およびｔ１６とｔ１７の状態で操作カウントは上段を示し、例えばｔ７におけるＴＸの値が、閾値Ｔｂよりも小さいと判定された場合、区間ｔ８の間にはＴＸ−１／３の周期パルスが発振される。また振動センサ５１３ｄの出力は、振動を検知したことを示すＨ信号なので、ＴＸ−１／３の周期で発振された周期パルスも操作カウントとしてをカウントし、設定値を変更する。
【０１１５】
また、前記ステップＳ６２８からＳ６３４までの動作は図１３（ａ）におけるｔ１１からｔ１５の状態で操作カウントは下段を示し、例えばｔ１０においてＴＸの値が、閾値Ｔａよりも小さいと判定された場合、区間ｔ１１の間にはＴＸ−１／５の周期パルスが発振され、また振動センサ５１３ｄの出力は、振動を検知したことを示すＨ信号なので、Ｓ６３２においてＴＸ−１／５の周期で発振された周期パルスも操作カウントとしてカウントし、Ｓ６３３で設定値を変更することを示している。
【０１１６】
図１１に戻ってステップＳ６３５では、検出したＰＩ１、ＰＩ２の出力信号の情報と図８（ｃ）に記載した条件に基づき、操作リング２０１の回転方向を判別し、前回確認時と同一の方向で回転しているかの判定を行う。前回確認時と異なる方向に回転していると判定された場合は、ユーザーが操作リング２０１の回転方向を途中で変更したと判断し、Ｓ６３６でタイマー値ＴＸの測定を終了し、設定値をＳ６３５で判定した変更方向に１段階変更して、ステップＳ６１３に戻る。Ｓ６３５で前回確認時と同一の方向に回転していると判定された場合は、ユーザーが操作リング２０１の回転方向を変更せずに、引き続き操作を続けていると判断し、ステップＳ６３７に進む。
【０１１７】
ステップＳ６３７では、タイマー値ＴＸの測定を終了し、設定値をＳ６３５で判定した変更方向に１段階変更する。さらにステップ６３８で変数Ｘを１増加させた後、ステップＳ６２０に戻って、クリックＯＦＦ状態時の設定値変更処理を引き続き行う。
【０１１８】
このように本実施例ではＴｘ−１の大小、即ち操作リング２０１の回転速度が大きいと単位回転角度に対する設定値の変更回数を多くしたので、小さい操作角度で所望の操作を行うことが出来る。
【０１１９】
次に、Ｔｘ−１が閾値Ｔｂより小さい、すなわち操作リング２０１が微速度回転操作されていると判定された場合の処理について図１２を用いて説明する。図１２においてステップＳ６３９では、再度振動センサ５１３ｄの出力を検出することにより、操作リング２０１の作動を判定する。振動が検出された場合は、ステップＳ６４１に進み、検出されなかった場合は操作リング２０１が操作されていないと判定し、ステップ６４０でＰＩへの通電を停止した後、ステップＳ６００に戻る。
【０１２０】
ステップＳ６４１では、１回目のブラシ検出信号の反転が行われるか否かの検出を行う。１回目のブラシ検出信号の反転が検出されなかった場合、または２回目以降のブラシ検出信号が検出された場合、ステップＳ６４３に進み、１回目のブラシ検出信号の反転が検出された場合、ステップＳ６４２に進む。
【０１２１】
Ｓ６４１で１回目のブラシ検出信号の反転が検出された場合、ステップＳ６４２で設定値を１段階変更した後、Ｓ６４３に進む。ステップＳ６４３では、同様にＰＩ１、ＰＩ２の一方の検出信号の反転から、検出信号の反転が行われるか否かの検出を行う。
【０１２２】
ステップＳ６４３にて、ＰＩ１、ＰＩ２共に一方の検出信号が反転しなかった場合、ステップ６３９に戻る。
【０１２３】
ステップＳ６４３にて、ＰＩ１、ＰＩ２のどちらか一方の検出信号が反転した場合、Ｓ６４４に進む。そしてステップＳ６４３にて検出したＰＩ１、ＰＩ２の出力信号の情報と図８（ｃ）に記載した条件に基づき、操作リング２０１の回転方向を判別し、前回確認時と同一の方向で回転しているか否かの判定を行う。前回確認時と異なる方向に回転していると判定された場合は、ユーザーが操作リング２０１の回転方向を途中で変更したと判断し、Ｓ６４５でタイマー値ＴＸの測定を終了し、設定値をＳ６４４で判定した変更方向に１段階変更して、ステップＳ６１３に戻る。Ｓ６４４で前回確認時と同一の方向に回転していると判定された場合は、ユーザーが操作リング２０１の回転方向を変更せずに、引き続き操作を続けていると判断し、ステップＳ６４６に進む。
【０１２４】
ステップＳ６４６では、Ｔｘの測定を終了し、Ｓ６４４で検出されたＰＩ１もしくはＰＩ２の検出信号の反転分として、設定値を１つ変更する。さらに、ステップＳ６４７にて変数Ｘを１増加させてステップＳ６２０に戻り、以降の処理を引き続き行う。
【０１２５】
以上説明したように、Ｓ６０９〜Ｓ６４７の処理を繰り返すことにより、操作リング２０１のクリックＯＦＦ状態での設定値変更処理が行われる。
【０１２６】
ここで、図１３（ａ）を用いてＰＩ１、ＰＩ２およびブラシ検出信号と操作カウントの関係を説明する。
【０１２７】
上記微速度回転操作は図１３（ａ）における、ｔ４からｔ７および、ｔ１８以降の状態を示し、例えばｔ３におけるＴｘの値が、閾値Ｔｂよりも遅いと判定された場合、区間ｔ４以降ではブラシ検出信号の反転も、ＰＩ１、ＰＩ２の検出信号による操作カウントに加えられる。まず振動センサ５１３ｄの出力は、振動を検知したことを示すＨ信号のため、ｔ５区間において検出したブラシ反転信号を、操作カウントに加え設定値を変更する。
【０１２８】
ブラシ検出信号のみでは回転方向が判定できないため、次のＰＩ１、ＰＩ２の検出信号の反転が来る前に２回目のブラシ反転信号を検出した場合、操作リング２０１の回転方向が同一ではないので、操作カウントにカウントされない。ｔ３〜ｔ６区間ではブラシ反転信号はｔ５区間の１回のみであり、他の区間ではＰＩ１、ＰＩ２の反転の検出に応じて回転方向を判定してＳ６４６で設定値を変更する。
【０１２９】
また、図１３（ａ）においてｔ２６において操作リング２０１が反転されると、ＰＩ１の反転信号よりも先にＰＩ２の反転信号が検出されるので、逆方向に設定値を１段階戻していることを示している。
【０１３０】
以上説明したように、本実施の形態では、操作リング２０１がクリックＯＮ状態よりもクリックＯＦＦ状態の方が、設定値を１段階変更するために必要な操作角度を小さくすることができる。また、操作リング２０１の回転速度によって単位時間当たりの操作カウント数を変えているので最適な操作角度を得ることができる。
【０１３１】
また、実際の撮影では、撮影者が操作リング２０１を操作して例えばマニュアルフォーカスを行う時、デフォーカスした状態から被写体に向けてフォーカスを動かす際、まず操作リング２０１を素早く正逆回転させ、所望の方向にフォーカスが向かっているか確認する場合がある。また、ある程度被写体にフォーカスが合った場合、撮影者は回転速度を緩めて、より最適な合焦点を探す操作を行うことが多い。
【０１３２】
後者の場合、カメラには微小な回転操作を確実に検出できるように検出可能な角度ピッチを狭めることが求められるが、環状部材５０５の開口部５０５ｂの設定角度ピッチを狭めることは機構上限界がある。またＰＩの数を増やす方法も考えられるが、電力消費やコストが増大するという問題が生じてしまう。そこで微速度回転操作時のみＰＩの他にブラシの開閉検出信号もＰＩ検知による設定値変更のカウントにブラシ出力による設定値変更の処理を加えることで設定値を１段階変更するために必要な操作角度を小さくすることができる。
【０１３３】
また、本実施の形態では操作リング２０１の回転の有無を第１および第２のブラシ切片５１４，５１５の振動を振動センサ５１３ｄで検出する構成を例に挙げたが、本発明はこれに限定されるものではない。
【０１３４】
例えば振動センサはカメラ本体に収納された動画撮影用のマイク出力のうち操作リング２０１の操作で発生する特定の周波数領域の音性信号を検出してもいいし、振動センサで検出するものはブラシ切片以外の他の振動発生源、例えば操作リング２０１の回転時の摺動音であってもよい。
【０１３５】
また、本実施の形態ではＰＩ反転によるカウントタイマーの閾値Ｔａ、Ｔｂ、ｎを予め設定された所定値と比較する構成を例に挙げたが、これに限定されるものではない。
【０１３６】
例えばマニュアルフォーカスモードでＬＣＤ表示を拡大させた状態で使用する場合は、その拡大率に応じて閾値を変更するなど、Ｔａ、Ｔｂ、ｎは操作リング２０１に割り当てられられる機能＋条件に応じて変更するようにしてもよい。
【０１３７】
また、本実施の形態ではブラシ切片による検出信号のうち開状態から閉状態のみ操作カウントとしてカウントしているが、環状部材５０５の開口孔５０５ｃを広げ、ＰＩ反転信号の検出を間に挟むことによりブラシ切片による検出信号の閉状態から開状態への信号も操作カウントにカウントしても良い。これにより、設定値を１段階変更するために必要な操作角度をより小さくすることができる。
【０１３８】
また、本実施の形態では環状部材５０５の開口孔５０５ｃの角度ピッチを開口部５０５ｂの角度ピッチと同一にしているが、開口孔５０５ｃの開口を小さくして、数を増やしても良い。ブラシ切片の開閉検出を細かく検出することが出来、設定値を１段階変更するために必要な操作角度をより小さくすることができる。
【符号の説明】
【０１３９】
１  デジタルカメラ、５０１  前面カバーユニット、１１５  システム制御部、
１１６  不揮発性メモリ、１１７  システムメモリ、１１８  システムタイマー、
２０１  操作リング、５０２  前面カバー、５０３  操作リング保持部材、
５０４  ベース部材、５０５  環状部材、５０６  切替操作部材、５０７  鋼球、
５０８  付勢ばね、５０９  クリック部材、５１０  切替プレート、
５１１  フレキ基板、５１２  保持部材、５１３  クリック検出用フレキ基板、
５１３ａ  検出用スイッチ、５１４  ブラシ切片、５１５  ブラシ切片、
ＰＩ１  第１のフォトインタラプタ、ＰＩ２  第２のフォトインタラプタ
【図１】
2020101726.tif 000003
【図２】
2020101726.tif 000004
【図３】
2020101726.tif 000005
【図４】
2020101726.tif 000006
【図５】
2020101726.tif 000007
【図６】
2020101726.tif 000008
【図７】
2020101726.tif 000009
【図８】
2020101726.tif 000010
【図９】
2020101726.tif 000011
【図１０】
2020101726.tif 000012
【図１１】
2020101726.tif 000013
【図１２】
2020101726.tif 000014
【図１３】
2020101726.tif 000015